(57)【要約】【課題】多様な階調表現が可能な電子ペーパー表示装置及び駆動方法を提供する。【解決手段】互いに異なる色で着色された少なくとも２つの表示領域を備え、正電荷に帯電された部分と負電荷に帯電された部分を含む回転ボール１０、１０−１、１０−２と、回転ボール１０、１０−１、１０−２を回転させる駆動電圧を発生させる駆動制御部４０と、駆動制御部４０により駆動電圧を印加される上部電極２０及び下部電極３０と、を含む。駆動制御部４０は、上部電極２０と下部電極３０との間に、回転ボール１０、１０−１、１０−２を回転させる第１駆動電圧をＴ１時間印加し、反対の極性を有する第２駆動電圧をＴ２時間印加することができる。【選択図】図１
2012234173.tif 000002
【特許請求の範囲】
【請求項１】
互いに異なる色で着色された少なくとも２つの表示領域を備え、正電荷に帯電された部分及び負電荷に帯電された部分を含む回転ボールと、
前記回転ボールを回転させる駆動電圧を発生させる駆動制御部と、
前記回転ボールの上部及び下部に備えられ、前記駆動制御部からの駆動電圧が印加される上部電極及び下部電極と、を含み、
前記駆動制御部は、上部電極と下部電極との間に、前記回転ボールを回転させる第１駆動電圧をＴ１時間印加し、前記第１駆動電圧と反対の極性を有する第２駆動電圧をＴ２時間印加するものである電子ペーパー表示装置。
【請求項２】
第１駆動電圧と第２駆動電圧は絶対値が同一であり、
前記Ｔ１とＴ２はＴ１≠Ｔ２の関係である請求項１に記載の電子ペーパー表示装置。
【請求項３】
第１駆動電圧と第２駆動電圧は絶対値が異なり、
前記Ｔ１とＴ２は、Ｔ１＝Ｔ２の関係である請求項１に記載の電子ペーパー表示装置。
【請求項４】
第１駆動電圧と第２駆動電圧は絶対値が異なり、
前記Ｔ１とＴ２はＴ１≠Ｔ２の関係である請求項１に記載の電子ペーパー表示装置。
【請求項５】
前記駆動制御部は、上部電極と下部電極との間に第１駆動電圧をＴ１時間印加し、上部電極と下部電極との間に第２駆動電圧をＴ２時間印加する過程を、少なくとも２回、順に繰り返すものである請求項１乃至４に記載の電子ペーパー表示装置。
【請求項６】
互いに異なる色で着色された少なくとも２つの表示領域を備え、正電荷に帯電された部分と負電荷に帯電された部分を含む回転ボールが上部電極と下部電極との間に位置する電子ペーパー表示装置を駆動する方法において、
上部電極と下部電極との間に前記回転ボールを回転させる第１駆動電圧をＴ１時間印加する段階と、
上部電極と下部電極との間に前記第１駆動電圧と反対の極性を有する第２駆動電圧をＴ２時間印加する段階と、を含む電子ペーパー表示装置の駆動方法。
【請求項７】
第１駆動電圧と第２駆動電圧は絶対値が同一であり、
前記Ｔ１とＴ２はＴ１≠Ｔ２の関係である請求項６に記載の電子ペーパー表示装置の駆動方法。
【請求項８】
第１駆動電圧と第２駆動電圧は絶対値が異なり、
前記Ｔ１とＴ２は、Ｔ１＝Ｔ２の関係である請求項６に記載の電子ペーパー表示装置の駆動方法。
【請求項９】
第１駆動電圧と第２駆動電圧は絶対値が異なり、
前記Ｔ１とＴ２はＴ１≠Ｔ２の関係である請求項６に記載の電子ペーパー表示装置の駆動方法。
【請求項１０】
上部電極と下部電極との間に第１駆動電圧をＴ１時間印加する段階と、
上部電極と下部電極との間に第２駆動電圧をＴ２時間印加する段階と、を少なくとも２回、順に繰り返す請求項６乃至９に記載の電子ペーパー表示装置の駆動方法。
【発明の詳細な説明】
【技術分野】
【０００１】
本発明は電子ペーパー表示装置及びその駆動方法に関する。
【背景技術】
【０００２】
電子ペーパーは、樹脂などからなる薄い基板に文字や映像などを表示することができる表示装置を意味する。これは、薄型化が可能で柔軟性（ｆｌｅｘｉｂｉｌｉｔｙ）を有することにより、今後、本、新聞、雑誌などの古典的な印刷媒体を代替できる表示装置であって、既に様々な形態の電子本や電子ラベルに適用されている。
【０００３】
電子ペーパーは、電気泳動方式と回転ボール方式に大別することができる。
【０００４】
前記電気泳動方式は、電荷を帯びる数十〜数百万個の微細な電気泳動粒子を電極間に配置し、前記電極に電圧を印加することにより様々な文字及び映像を表現する方式である。
【０００５】
一方、前記回転ボール方式は、正電荷と負電荷を共に有し、前記電気泳動粒子の代わりに、表面に２以上の色で着色された回転ボール（またはツイストボール）を電極の間に配置し、電極に印加された駆動電圧により回転ボールを回転させて２以上の色を表現する方式である。
【０００６】
前記回転ボール方式を適用した電子ペーパーの場合、電気泳動方式と異なり、回転ボールの半球面を回転させて黒色または白色などを表現するが、このような回転ボール方式の電子ペーパーは、回転ボールの微細な角度調節が難しいため、ほとんどの場合白色または黒色しか表現できなかった。
【０００７】
このように白色と黒色で表現された複数の回転ボールを一つの単位で結合して白色と黒色を組み合わせる方式を用いると、段階的なグレーを表現することはできるが、一つの単位のグレーを表現するためには多数の回転ボールが必要となり、またグレーで表現される最小単位の面積が広くなるため、イメージの解像度が低くなる短所があった。
【０００８】
即ち、従来の回転ボール方式の電子ペーパーは、解像度の低下を防止しながら階調（ｇｒａｄａｔｉｏｎ）を表現するのが難しいという問題点があった。
【先行技術文献】
【特許文献】
【０００９】
【特許文献１】韓国公開特許第１０−２００５−００７９１１６号公報
【発明の概要】
【発明が解決しようとする課題】
【００１０】
前記のような問題点を解決するために発明された本発明は、電極に印加される駆動電圧を制御して、多様な階調表現が可能な電子ペーパー表示装置及びその駆動方法を提供することを目的とする。
【課題を解決するための手段】
【００１１】
前記のような目的を達成するために発明された本発明の一実施形態による電子ペーパー表示装置は、互いに異なる色で着色された少なくとも２つの表示領域を備え、正電荷に帯電された部分と負電荷に帯電された部分を含む回転ボールと、この回転ボールを回転させる駆動電圧を発生する駆動制御部と、前記回転ボールの上部及び下部に備えられ、前記駆動制御部から駆動電圧を印加される上部電極及び下部電極と、を含み、前記駆動制御部は、上部電極と下部電極との間に、前記回転ボールを回転させる第１駆動電圧をＴ１時間印加し、前記第１駆動電圧と反対の極性を有する第２駆動電圧をＴ２時間印加することができる。
【００１２】
この際、第１駆動電圧と第２駆動電圧は絶対値が同一であり、前記Ｔ１とＴ２はＴ１≠Ｔ２の関係であることができる。
【００１３】
また、第１駆動電圧と第２駆動電圧は絶対値が異なり、前記Ｔ１とＴ２は、Ｔ１＝Ｔ２の関係であることができる。
【００１４】
さらに、第１駆動電圧と第２駆動電圧は絶対値が異なり、前記Ｔ１とＴ２はＴ１≠Ｔ２の関係であることができる。
【００１５】
なお、駆動制御部は、前記上部電極と下部電極との間に第１駆動電圧をＴ１時間印加し、上部電極と下部電極との間に第２駆動電圧をＴ２時間印加する過程を、少なくとも２回順に繰り返すことができる。
【００１６】
一方、本発明の一実施形態による電子ペーパー表示装置の駆動方法は、互いに異なる色で着色された少なくとも２つの表示領域を備え、正電荷に帯電された部分と負電荷に帯電された部分を含む回転ボールが、上部電極と下部電極との間に位置する電子ペーパー表示装置を駆動する方法であって、上部電極と下部電極との間に、前記回転ボールを回転させる第１駆動電圧をＴ１時間印加する段階と、上部電極と下部電極との間に、前記第１駆動電圧と反対の極性を有する第２駆動電圧をＴ２時間印加する段階と、を含むことができる。
【００１７】
この際、第１駆動電圧と第２駆動電圧は絶対値が同一であり、前記Ｔ１とＴ２はＴ１≠Ｔ２の関係であることができる。
【００１８】
また、第１駆動電圧と第２駆動電圧は絶対値が異なり、前記Ｔ１とＴ２は、Ｔ１＝Ｔ２の関係であることができる。
【００１９】
さらに、第１駆動電圧と第２駆動電圧は絶対値が異なり、前記Ｔ１とＴ２はＴ１≠Ｔ２の関係であることができる。
【００２０】
なお、前記上部電極と下部電極との間に第１駆動電圧をＴ１時間印加する段階と、上部電極と下部電極との間に第２駆動電圧をＴ２時間印加する段階と、を少なくとも２回順に繰り返すことができる。
【発明の効果】
【００２１】
前記のように構成された本発明は、回転ボール方式の電子ペーパー表示装置において精密な階調調節が可能で、かつ階調調節にともなう解像度低下の問題を防止することができる。また、回転ボールの階調調節のための別途の付加的な電極を必要としない電子ペーパー表示装置及び電子ペーパー表示装置の駆動方法を提供できるという有用な効果がある。
【図面の簡単な説明】
【００２２】
【図１】本発明の一実施形態による電子ペーパー表示装置を示した概路図である。
【図２】本発明の一実施形態による電子ペーパー表示装置に、駆動電圧を短時間印加した状態における電子ボールの回転状態を示した概路図である。
【図３】本発明の一実施形態による電子ペーパー表示装置に、一定の駆動電圧を十分な時間印加した状態における電子ボールの回転状態を示した概路図である。
【図４】本発明の一実施形態による電子ペーパー表示装置に印加される駆動電圧の時間的分布を示した図面である。
【図５】本発明の他の実施形態による電子ペーパー表示装置に印加される駆動電圧の時間的分布を示した図面である。
【図６】本発明のまた他の実施形態による電子ペーパー表示装置に印加される駆動電圧の時間的分布を示した図面である。
【図７】駆動電圧の印加による回転ボールの回転状態を示した図面である。
【図８】駆動電圧の印加による回転ボールの回転状態を示した図面である。
【図９】本発明の一実施形態による電子ペーパー表示装置から出力される画面を示した図面である。
【発明を実施するための形態】
【００２３】
本発明の利点及び特徴、またそれらを達成する技術などは、添付の図面と共に以下の詳細な実施形態を参照すれば明確になる。しかし、本発明は以下で開示される実施形態に限定されるものではなく、相違する多様な形態に具現されることができる。本実施形態は、本発明の開示が完全になるようにすると共に、本発明が属する技術分野において通常の知識を有した者に発明の範疇を完全に知らせるために提供することができる。また、明細書全体に亘り同一の参照符号は同一の構成要素を示す。
【００２４】
本明細書で使用された用語は、実施形態を説明するためのものであって、本発明を制限するためのものではない。本明細書において、単数型は文章で特に言及しない限り複数型も含む。明細書で使用される「〜を含む（ｃｏｍｐｒｉｓｅ）」及び／又は「〜を含んでいる（ｃｏｍｐｒｉｓｉｎｇ）」により言及された構成要素、段階、動作及び／又は素子は、一つ以上の他の構成要素、段階、動作及び／又は素子の存在又は追加を排除しない。
【００２５】
以下、添付の図面を参照して本発明による電子ペーパー表示装置１００を詳細に説明する。
【００２６】
図１は、本発明の一実施形態による電子ペーパー表示装置１００を示した概路図である。
【００２７】
図１を参照すると、本発明の一実施形態による電子ペーパー表示装置１００は、回転ボール１０、駆動制御部４０、上部電極２０及び下部電極３０を含むことができる。
【００２８】
前記回転ボール１０は、互いに異なる色で着色された少なくとも２つの表示領域を備えることができる。このような表示領域は、図１において白色領域と斜線領域とで表現されているが、３以上の領域に区分して、３色以上で着色することもできる。以下、説明の便宜上、前記白色領域を白半球１２とし、斜線領域を黒半球１１とする。
【００２９】
また、前記回転ボール１０は、正電荷に帯電された部分と負電荷に帯電された部分を含むことができる。例えば、前記黒半球１１には負電荷が帯電され、前記白半球１２には正電荷が帯電されることができる。
【００３０】
前記上部電極２０及び下部電極３０は、回転ボール１０の上部と下部にそれぞれ位置し、前記駆動制御部４０から駆動電圧を印加され電場を形成することにより、回転ボール１０の回転状態を設定する機能を果たすことができる。
【００３１】
また、前記上部電極２０及び下部電極３０の間には様々な組み合わせの絶縁オイルが注入され、この絶縁オイル内に回転ボール１０を備えることができる。
【００３２】
前記駆動制御部４０は、電子ペーパー表示装置１００に表示される文字や映像などの情報に応じて、電子ペーパー表示装置１００のそれぞれの電極に駆動電圧を印加する機能を有することができる。
【００３３】
また、前記駆動制御部４０は、電子ペーパー表示装置１００に表示される文字や映像の他にも階調に関する情報の入力を受け、前記上部電極２０及び下部電極３０の間に階調を表現するための駆動電圧を印加することができる。
【００３４】
図２は、一本発明の実施形態による電子ペーパー表示装置１００に駆動電圧を短時間印加した状態における電子ボールの回転状態を示した概路図であり、図３は、本発明の一実施形態による電子ペーパー表示装置１００に一定の駆動電圧を十分な時間印加した状態における電子ボールの回転状態を示した概路図である。この際、すべての表示素子に同一の駆動電圧が印加されると仮定する。
【００３５】
前記回転ボール１０は、直径、形態、表面摩擦力及び重量などの特性が少し異なり得る。このような回転ボール１０の特性の差は、回転ボール１０の回転量や速度に影響を与えることができる。
【００３６】
例えば、同一の駆動電圧を同一の時間印加した時、直径が小さいほど、形態が球形に近いほど、表面摩擦力が小さいほど、又は軽量であるほど、回転量や速度が大きくなる。
【００３７】
図２及び図３では、このような回転ボール１０の特性による回転量や速度の差による電子ペーパー表示装置１００の駆動特性を説明するために、直径が異なる場合を代表的に示した。
【００３８】
図２を参照すると、駆動電圧が短時間印加された場合には、回転量や速度が最も大きい回転ボール１０は、黒半球１１が垂直上方に向かうように十分に回転するが、回転量や速度が小さい回転ボール１０−１、１０−２は、回転量が十分でない可能性があることが理解できる。
【００３９】
一方、図３を参照すると、一定の駆動電圧が十分な時間印加された場合には、結局すべての回転ボール１０の黒半球１１が、垂直上方に向かうように十分に回転することが理解できる。
【００４０】
図４は、本発明の一実施形態による電子ペーパー表示装置１００に印加される駆動電圧の時間的分布を示した図面である。
【００４１】
図４を参照すると、前記駆動電圧は、第１駆動電圧Ｖ１と第２駆動電圧Ｖ２を含むことができる。この際、前記第２駆動電圧Ｖ２は、第１駆動電圧（Ｖ１）と反対の極性を有することができる。
【００４２】
また、前記第１駆動電圧Ｖ１と第２駆動電圧Ｖ２は、絶対値が同一であることができ、この際、前記第１駆動電圧Ｖ１が印加される時間Ｔ１と第２駆動電圧Ｖ２が印加される時間Ｔ２は、異なり得る。
【００４３】
前記第１駆動電圧Ｖ１は、回転ボール１０が最大１８０゜まで回転できる大きさを有することができるが、第１駆動電圧Ｖ１の大きさは、回転ボール１０の大きさ、電荷量、絶縁オイルの粘度、又は上下部電極の間隔などの条件によって異なり得る。
【００４４】
前記第１駆動電圧Ｖ１は、停止状態の回転ボール１０を運動状態にする機能を発揮することができる。
【００４５】
回転ボール１０が停止状態にある場合には、この回転ボール１０が回転状態にある場合に比べ、これを回転させるためにより大きい力が必要となる可能性がある。このような点を考慮し、第１駆動電圧Ｖ１を停止状態の回転ボール１０に印加することで運動状態にし、目標とする角度で迅速に回転できるようにする。
【００４６】
一方、前記第２駆動電圧Ｖ２は、第１駆動電圧Ｖ１と絶対値は同一であるが、反対の極性を有することができ、第２駆動電圧Ｖ２が上部電極２０と下部電極３０との間に印加される場合、回転ボール１０は黒半球１１が垂直下方に向かって回転するようになる。
【００４７】
また、前記Ｔ１とＴ２は異なることができる。このようにＴ１とＴ２を異なるようにして、第１駆動電圧Ｖ１と第２駆動電圧Ｖ２を印加する場合、回転ボール１０の黒半球１１が垂直上方に向かう場合を基準にして、Ｔ２の大きさによって黒半球１１の傾斜程度を制御することができる。
【００４８】
図５は、本発明の他の実施形態による電子ペーパー表示装置１００に印加される駆動電圧の時間的分布を示した図面である。
【００４９】
図５を参照すると、前記駆動電圧は、第１駆動電圧Ｖ１と第２駆動電圧Ｖ２を含むことができる。この際、前記第２駆動電圧Ｖ２は、第１駆動電圧Ｖ１と反対の極性を有し、絶対値が異なるようにすることがでる。この際、前記第１駆動電圧Ｖ１が印加される時間Ｔ１と第２駆動電圧Ｖ２が印加される時間Ｔ２は同一であることがある。
【００５０】
前記第１駆動電圧Ｖ１は、回転ボール１０の大きさ、電荷量、絶縁オイルの粘度、又は上下部電極の間隔などの条件によって異なり得る。
【００５１】
前記第１駆動電圧Ｖ１は、停止状態の回転ボール１０を運動状態にする機能を生じることができる。
【００５２】
回転ボール１０が停止状態にある場合には、回転ボール１０が回転状態にある場合に比べ、回転ボール１０を回転させるためにより大きい力が必要となる可能性がある。このような点を考慮し、第１駆動電圧Ｖ１を停止状態の回転ボール１０に印加することで運動状態にし、目標とする角度で迅速に回転できるようにする。
【００５３】
一方、前記第２駆動電圧Ｖ２は、第１駆動電圧Ｖ１と絶対値が異なり、反対の極性を有することができ、第２駆動電圧Ｖ２が上部電極２０と下部電極３０との間に印加される場合、回転ボール１０は黒半球１１が垂直下方に向かって回転するようになる。
【００５４】
また、前記Ｔ１とＴ２は、同一であることができるが、前記第１駆動電圧Ｖ１と第２駆動電圧Ｖ２との差により、回転ボール１０の黒半球１１が垂直上方に向かう場合を基準にして、第１駆動電圧Ｖ１と第２駆動電圧Ｖ２の絶対値の差によって黒半球１１の傾斜程度を制御することができる。
【００５５】
図６は、本発明のまた他の実施形態による電子ペーパー表示装置１００に印加される駆動電圧の時間的分布を示した図面である。
【００５６】
図６を参照すると、前記駆動電圧は、第１駆動電圧Ｖ１と第２駆動電圧Ｖ２を含むことができる。この際、前記第２駆動電圧Ｖ２は、第１駆動電圧Ｖ１と反対の極性を有し、絶対値が異なり得る。この際、前記第１駆動電圧Ｖ１が印加される時間Ｔ１と第２駆動電圧Ｖ２が印加される時間Ｔ２とが互いに異なり得る。
【００５７】
前記第１駆動電圧Ｖ１は、停止状態の回転ボール１０を運動状態にする機能を生じさせることができ、また、第２駆動電圧Ｖ２は、目標とする角度で回転ボール１０を回転させる機能を生じさせることができる。
【００５８】
また、前記Ｔ１とＴ２が互いに異なるように設定することができる。
【００５９】
前記第１駆動電圧Ｖ１とＴ１、第２駆動電圧Ｖ２とＴ２を調節して回転ボール１０の黒半球１１が垂直上方に向かう場合を基準にして、黒半球１１の傾斜程度を制御することができる。
【００６０】
この際、前記第１駆動電圧Ｖ１、第２駆動電圧Ｖ２、Ｔ１、Ｔ２は、回転ボール１０の大きさ、電荷量、絶縁オイルの粘度、上下部電極の間隔などの条件によって異なり得る。
【００６１】
一方、前記上部電極２０と下部電極３０との間に、第１駆動電圧Ｖ１をＴ１時間印加し、第２駆動電圧Ｖ２をＴ２時間印加する過程を、少なくとも２回以上繰り返すことができる。
【００６２】
以下、図７を参照して本発明の一実施形態による電子ペーパー表示装置１００の駆動方法について説明する。
【００６３】
図７は、駆動電圧の印加による回転ボール１０の回転状態を示した図面である。
【００６４】
本発明の一実施形態による電子ペーパー表示装置１００の駆動方法は、上部電極２０と下部電極３０との間に、回転ボール１０を回転させる第１駆動電圧Ｖ１をＴ１時間印加する段階と、第２駆動電圧Ｖ２をＴ２時間印加する段階と、を含むことができる。
【００６５】
前記第１駆動電圧Ｖ１は、回転ボール１０を回転させる機能を生じさせることができる。
【００６６】
また、第１駆動電圧Ｖ１は、停止状態の回転ボール１０を運動状態にする機能を生じさせることができる。
【００６７】
前記第２駆動電圧Ｖ２は、前記第１駆動電圧Ｖ１と反対の極性を有し、目標とする角度で回転ボール１０を回転させる機能を生じさせることができる。
【００６８】
図７を参照すると、図７（ａ）は、回転ボール１０の黒半球１１が垂直下方に向かって配列されており、停止状態である場合を示している。図面では回転ボール１０の黒半球１１が垂直下方に向かう場合を示したが、これに限定されるのではない。
【００６９】
この際、第１駆動電圧Ｖ１をＴ１時間印加する場合は、図７（ｂ）に示すように回転ボール１０の黒半球１１が垂直上方に向かって配列されることが理解できる。この際、前記第１駆動電圧Ｖ１及びＴ１は、回転ボール１０の大きさ、表面摩擦力、電荷量、絶縁オイルの粘度、又は上下部電極の間隔などの条件によって異なり得る。また、図面に示す場合と異なり、回転ボール１０の黒半球１１が垂直上方に向かうことに限られるものではない。
【００７０】
すなわち、図７（ａ）に示すように、停止状態の回転ボール１０に第１駆動電圧Ｖ１をＴ１時間印加して、図７（ｂ）のように運動状態にすることができる。
【００７１】
次に、第２駆動電圧Ｖ２をＴ２時間印加して、図７（ｃ）に示すように回転ボール１０の黒半球１１が所定の角度（図面ではαに示す）に配列されるようにすることができる。
【００７２】
この際、前記第１駆動電圧Ｖ１、第２駆動電圧Ｖ２、Ｔ１およびＴ２の関係は、電子ペーパー表示装置１００に関する説明の部分と類似しているため、重複する説明は省略する。
【００７３】
図８は、駆動電圧の印加による回転ボール１０の回転状態を示した図面である。
【００７４】
図８の回転ボール１０は、図７に示された回転ボール１０に比べ直径が大きく表現されている。
【００７５】
図８を参照すると、回転ボール１０の直径が大きいか表面摩擦力が大きい場合、第１駆動電圧Ｖ１及び第２駆動電圧Ｖ２を一度ずつ印加することにより目標とする所定の角度（例えば図７におけるαなど）に達しない可能性がある。この場合、第１駆動電圧Ｖ１及び第２駆動電圧Ｖ２を繰り返して印加することで、最終的に目標とする角度（αなど）に達することができる。
【００７６】
電子ペーパー表示装置１００は、数千〜数十万個の回転ボール１０を含むことができるが、前記回転ボール１０の特性によって回転抵抗の散布が存在することがあり、このような回転抵抗の散布により精密な角度制御が難しい可能性がある。
【００７７】
しかし、回転抵抗の散布により精密な角度制御が難しい場合にも、上記本発明の一実施形態による第１駆動電圧Ｖ１及び第２駆動電圧Ｖ２の繰り返し印加方法を適用すると、ほとんどの回転ボール１０の黒半球１１を目標とする角度で配列させることができる。
【００７８】
但し、回転抵抗の散布が大きいほど、第１駆動電圧Ｖ１と第２駆動電圧Ｖ２の繰り返し印加の回数を増加させることができる。
【００７９】
一方、電子ペーパー表示装置１００の基本的な機能である文字及び映像の表現を行う回転ボール１０別の駆動制御信号と、階調を調節するための前記第１駆動電圧Ｖ１及び第２駆動電圧Ｖ２とを適切に組み合わせることにより、文字及び映像を表現しながら階調を調節できる電子ペーパー表示装置１００及び電子ペーパー表示装置１００の駆動方法を具現することができる。
【００８０】
この際、前記回転ボール１０別の駆動制御信号と、階調調節のための第１駆動電圧Ｖ１及び第２駆動電圧Ｖ２は、同一の電極に印加されるか、互いに異なる電極を備えてそれぞれ印加することができる。
【００８１】
図９は、本発明の一実施形態による電子ペーパー表示装置１００から出力される画面を示した図面である。
【００８２】
図９を参照すると、様々な大きさの回転ボール１０により構成された電子ペーパー表示装置１００にも本発明の一実施形態による駆動方法を適用し、白半球１２の一部だけを露出するようにして階調を調節できることが確認できる。
【００８３】
以上の詳細な説明は本発明を例示するものである。また、上述の内容は本発明の好ましい実施形態を示して説明するものに過ぎず、本発明は多様な他の組合、変更及び環境で用いることができる。即ち、本明細書に開示された発明の概念の範囲、述べた開示内容と均等な範囲及び／または当業界の技術または知識の範囲内で変更または修正が可能である。上述の実施形態は本発明を実施するにおいて最善の状態を説明するためのものであり、本発明のような他の発明を用いるにおいて当業界に公知された他の状態での実施、そして発明の具体的な適用分野及び用途で要求される多様な変更も可能である。従って、以上の発明の詳細な説明は開示された実施状態に本発明を制限しようとする意図ではない。また、添付された請求範囲は他の実施状態も含むと解釈されるべきであろう。
【符号の説明】
【００８４】
１０、１０−１、１０−２  回転ボール
１１  黒半球
１２  白半球
２０  上部電極
３０  下部電極
４０  駆動制御部
Ｖ１  第１駆動電圧
Ｖ２  第２駆動電圧
１００  電子ペーパー表示装置
【図１】
2012234173.tif 000003
【図２】
2012234173.tif 000004
【図３】
2012234173.tif 000005
【図４】
2012234173.tif 000006
【図５】
2012234173.tif 000007
【図６】
2012234173.tif 000008
【図７】
2012234173.tif 000009
【図８】
2012234173.tif 000010
【図９】
2012234173.tif 000011